(57)【要約】【課題】  本発明は、不陸部を含む施工面に磁石を介して磁着パネルを取り付けていくことにより壁体を構築するに当たって、該磁着パネルを施工面に確実に取り付け、且つ外見上、不陸部に対応する形状が壁体の表面に現れないような壁体の構築方法を提供する。【解決手段】  長尺状の化粧板と、前記化粧板の裏面から突出して設けられた一対の帯状シート磁石３，３であって前記化粧板の長手方向に延び且つ化粧板の幅方向に所定間隔を開けて配置された一対の帯状シート磁石３，３と、を備える磁着パネル１’Ａ，１Ｂ，１Ｃを複数枚、スチール製家具８Ａ，８Ｂの施工面８１に前記帯状シート磁石３を介して取り付けていき、前記磁着パネル１Ｃを、前記一対の帯状シート磁石３，３の間における化粧板の裏面が前記施工面８１の不陸部８２に対面するように取り付ける。【選択図】  図１０
2009057740.tif 000002
【特許請求の範囲】
【請求項１】
長尺状の化粧板と、前記化粧板の裏面から突出して設けられた一対の帯状シート磁石であって前記化粧板の長手方向に延び且つ化粧板の幅方向に所定間隔を開けて配置された一対の帯状シート磁石と、を備える磁着パネルを複数枚、スチール製家具の施工面に前記帯状シート磁石を介して取り付けていき、
前記磁着パネルの少なくとも１枚を、前記一対の帯状シート磁石の間における化粧板の裏面が前記施工面の不陸部に対面するように取り付けることを特徴とする壁体の構築方法。
【請求項２】
前記不陸部が、隣接するスチール製家具の境界部分に生じる段差である請求項１に記載の壁体の構築方法。
【請求項３】
両側部にサネ部がそれぞれ形成され且つ湾曲可能な長尺状の化粧板と、前記化粧板の裏面から突出して設けられた一対の帯状シート磁石であって前記化粧板の裏面の長手方向に延び且つ化粧板の幅方向に所定間隔を開けて配置された一対の帯状シート磁石と、を備える磁着パネルを複数枚、スチール製家具の施工面に取り付けて壁体を構築する方法であって、
施工面に隅材を取り付け、１枚目の磁着パネルを湾曲させながら前記隅材に前記１枚目の磁着パネルの一方側部のサネ部を嵌め入れて前記１枚目の磁着パネルを施工面に取り付け、２枚目の磁着パネルを湾曲させながら前記１枚目の磁着パネルの他方側部のサネ部に前記２枚目の磁着パネルの一方側部のサネ部を嵌め入れて前記２枚目の磁着パネルを施工面に取り付け、同様にして磁着パネルを施工面に順次取り付けて壁体を形成した後、終端に取り付けた磁着パネルの終端サネ部に隅材を取り付け且つ前記壁体の上端部に見切り材を取り付けることを特徴とする壁体の構築方法。
【請求項４】
前記磁着パネルの少なくとも１枚を、前記一対の帯状シート磁石の間における化粧板の裏面が前記施工面の不陸部に対面するように取り付ける請求項３に記載の壁体の構築方法。
【請求項５】
前記化粧板の曲げ強度が、９Ｎ／ｍｍ２〜３０Ｎ／ｍｍ２である請求項１〜４のいずれかに記載の壁体の構築方法。
【発明の詳細な説明】
【技術分野】
【０００１】
本発明は、スチール製家具に磁石を介して磁着パネルを取り付けていくことによって壁体を構築する方法に関する。
【背景技術】
【０００２】
従来、磁石を用いて、スチール製家具にパネルを取り付けることが知られている（特許文献１）。
具体的には、薄いゴム磁石板の片面に木材の薄片などの装飾片を貼り付けた建材を、ゴム磁石板を介して、スチール製家具に取り付けることにより、建築の内部壁面を装飾することが開示されている（特許文献１の第１図など）。
【特許文献１】特開昭５９−３４３５６号公報
【発明の開示】
【発明が解決しようとする課題】
【０００３】
しかしながら、上記特許文献１に記載の建材は、シート状の装飾片全体にベタ状にゴム磁石板が設けられているため、スチール製家具の施工面（磁石を介して化粧板を取り付ける面）の不陸部に対応して、建材が浮き上がり、建材を施工面に確実に取付けることができない。また、スチール製家具の隅部分や上部、隣接するシート状の装飾片の間に関しては完全に覆い隠す事が困難なため、その隙間から下地（スチール製家具）が見えてしまい、意匠性が低下する場合があった。特に、隣接する装飾片の間は、スチール製家具の施工面の不陸の影響によって、隙間無く接合するのが困難であり、下地が見えることを防止することが非常に困難である。
具体的には、スチール製家具の背面などの施工面は、平坦状に限られず、通常、不陸部がある。不陸部とは、凸部を有する部分をいう。例えば、２台以上のスチール製家具が並べられていると、隣接するスチール製家具の境界部分に、段差（不陸部）が生じる。上記特許文献１に記載の建材は、装飾片全体にゴム磁石板が設けられているので、建材の裏面は平坦状である。かかる建材の裏面を不陸部に対面させて取り付けると、前記建材の裏面の一部分が不陸部の凸部に当たるため、前記建材が施工面に対して大きく傾斜する。このため、建材の一側部の裏面が浮き上り、建材を施工面に確実に取り付けることができない。その結果、スチール製家具の隅部分や上部、隣接する装飾材の間に隙間が生じ、該隙間から下地が見えてしまうといった不具合が発生する。また、単に装飾片を複数装着しただけでは壁体全体の統一性に欠けるため、スチール製家具に装飾を施したといった外観以上の意匠性は達成することが出来ない。
【０００４】
一方、上記建材の裏面が不陸部に対面しないように、例えば、隣接する建材の継ぎ目に不陸部が対応するように施工する方法が考えられる。しかしながら、かかる方法では、隣接する建材の継ぎ目に段差が生じ、施工面の不陸部を建材で隠蔽できず、外観上、好ましくない。
【０００５】
本発明の第１の目的は、不陸部を含む施工面に磁石を介して磁着パネルを取り付けていくことにより壁体を構築するに当たって、該磁着パネルを施工面に確実に取り付けることができる壁体の構築方法を提供することである。
さらに、本発明の第２の目的は、施工面の不陸部に対応する形状が壁体の表面に外見上現れない壁体の構築方法を提供することである。
また、本発明の第３の目的は、パネルの隙間などから下地（施工面）が見えないように壁体を簡易に構築できる壁体の構築方法を提供することである。
【課題を解決するための手段】
【０００６】
本発明の壁体の構築方法は、長尺状の化粧板と、前記化粧板の裏面から突出して設けられた一対の帯状シート磁石であって前記化粧板の長手方向に延び且つ化粧板の幅方向に所定間隔を開けて配置された一対の帯状シート磁石と、を備える磁着パネルを複数枚、スチール製家具の施工面に前記帯状シート磁石を介して取り付けていき、前記磁着パネルの少なくとも１枚を、前記一対の帯状シート磁石の間における化粧板の裏面が前記施工面の不陸部に対面するように取り付けることを特徴とする。
【０００７】
上記壁体の構築方法に用いられる磁着パネルは、一対の帯状シート磁石の磁着面（帯状シート磁石の裏面）を、施工面に磁着することによって取り付けることができる。かかる磁着パネルを複数枚、施工面に並べて取り付けることによって壁体が構築される。
上記一対の帯状シート磁石は化粧板の裏面から突出しているので、一対の帯状シート磁石の間における化粧板の裏面と帯状シート磁石の磁着面を含む平面との間には、帯状シート磁石の厚みに相当する空間が形成されている。従って、上記磁着パネルを、一対の帯状シート磁石の間における化粧板の裏面が前記施工面の不陸部に対面するように取り付けることによって、前記空間内に施工面の不陸部が収まるため、磁着パネル（化粧板）は、施工面に対して略平行または極めて緩やかに傾斜する。従って、一対の帯状シート磁石の磁着面が施工面に確実に接し、その結果、磁着パネルを施工面に確実に取り付けることができる。
また、上記のように磁着パネルを取り付けることによって、施工面の不陸部を磁着パネルで隠蔽することができる。
【０００８】
本発明の好ましい壁体の構築方法は、上記化粧板の曲げ強度が、９Ｎ／ｍｍ２〜３０Ｎ／ｍｍ２である。
かかる曲げ強度の磁着パネルを用いることにより、化粧板は適度に湾曲する。従って、上記不陸部に対面して取り付けられた磁着パネルは、化粧板の裏面に不陸部の凸部が当たっても、該化粧板が適度に湾曲するので、一対の帯状シート磁石の磁着面が、施工面に対して略平行となる。よって、帯状シート磁石を介して、磁着パネルを施工面により確実に取り付けることができる。
さらに、上記のように化粧板が適度に湾曲するので、化粧板（磁着パネル）の表面に不陸部の形状に対応した形状が現れない。従って、外見上、平面的な壁体を構築できる。
【０００９】
本発明の好ましい壁体の構築方法は、上記不陸部が、隣接するスチール製家具の境界部分に生じる段差である。
上記壁体の構築方法によれば、隣接するスチール製家具の境界部分の段差を磁着パネルによって隠蔽できるので、前記壁体がスチール製家具に構築されていることを看者に察知されない。従って、施工及び構造が簡易な壁体であるにも拘わらず、高級感のある壁体を看者に印象付けることができる。
【００１０】
本発明の壁体の構築方法は、両側部にサネ部がそれぞれ形成され且つ湾曲可能な長尺状の化粧板と、前記化粧板の裏面から突出して設けられた一対の帯状シート磁石であって前記化粧板の裏面の長手方向に延び且つ化粧板の幅方向に所定間隔を開けて配置された一対の帯状シート磁石と、を備える磁着パネルを複数枚、スチール製家具の施工面に取り付けて壁体を構築する方法であって、施工面に隅材を取り付け、１枚目の磁着パネルを湾曲させながら前記隅材に前記１枚目の磁着パネルの一方側部のサネ部を嵌め入れて前記１枚目の磁着パネルを施工面に取り付け、２枚目の磁着パネルを湾曲させながら前記１枚目の磁着パネルの他方側部のサネ部に前記２枚目の磁着パネルの一方側部のサネ部を嵌め入れて前記２枚目の磁着パネルを施工面に取り付け、同様にして磁着パネルを施工面に順次取り付けて壁体を形成した後、終端に取り付けた磁着パネルの終端サネ部に隅材を取り付け且つ前記壁体の上端部に見切り材を取り付けることを特徴とする。
好ましくは、前記複数枚の磁着パネルのうち少なくとも１枚を、前記一対の帯状シート磁石の間における化粧板の裏面が前記施工面の不陸部に対面するように取り付ける。
【００１１】
上記壁体の構築方法によれば、隣接する磁着パネルや、磁着パネルと隅材などの間に、確実に隙間が生じないように施工できるので、隣接する磁着パネルの間や、壁体の隅部分及び上部から下地（スチール製家具）が見えず、意匠性に優れた壁体を構築できる。
【００１２】
また、本発明の好ましい壁体の構築方法は、化粧板の曲げ強度が９Ｎ／ｍｍ２〜３０Ｎ／ｍｍ２である。かかる曲げ強度の磁着パネルを用いることにより、磁着パネルは適度に湾曲する。従って、磁着パネルの取り付け時に磁着パネルを湾曲させた際、曲がり過ぎ又は曲げ困難とならず、磁着パネルを施工面に簡易に取り付けることができる。
【発明の効果】
【００１３】
本発明に係る壁体の構築方法によれば、帯状シート磁石を介して、磁着パネルをスチール製家具の施工面に確実に取り付けることができ、更に、施工面の不陸部を隠蔽することができる。本発明の構築方法によれば、磁着パネルが、不用意に位置ズレたり、施工面から脱落する虞がないので、接着剤や釘などでパネルが取り付けられた壁体と同様に、強固な壁体を構築できる。
さらに、本発明の壁体の構築方法によれば、より確実に磁着パネルを施工面に取り付けることができる上、磁着パネルの表面に、施工面の不陸部に対応した形状が現れず、平面的な壁体を構築することができる。
また、本発明の壁体の構築方法によれば、隅部分、上部、磁着パネル間の下地隠蔽効果が高く、全体の一体性が高い壁体を構築できる。
【発明を実施するための最良の形態】
【００１４】
本発明の実施形態を図面を参照しつつ説明する。
本発明の壁体の構築方法は、スチール製家具の施工面に、磁着パネルを取り付けていく。また、磁着パネルの取付に際しては、入隅材や出隅材などの各種の隅材、見切り材などの端部カバー部材が装着される。以下、磁着パネル及び端部カバー部材の詳細を説明した後、本発明の壁体の構築方法について詳述する。
【００１５】
＜磁着パネル＞
本発明の壁体の構築方法に使用される磁着パネル１は、図１〜図３に示すように、長尺状の化粧板２と、該化粧板２の裏面に設けられた一対の帯状シート磁石３，３と、を備えている。
なお、長尺状とは、化粧板２の面内において直交する２つの方向のうち、一方向が他方向に比して明らかに長い形状をいう。本明細書では、化粧板２の長い方向を「長手方向」といい、該長手方向と化粧板２の面内で直交する方向を「幅方向」という。
上記磁着パネル１は、曲げ強度が９Ｎ／ｍｍ２〜３０Ｎ／ｍｍ２である長尺状の化粧板２と、化粧板２の裏面から突出して設けられた一対の帯状シート磁石３，３であって化粧板２の長手方向に延び且つ化粧板２の幅方向に所定間隔を開けて配置された一対の帯状シート磁石３，３と、を備えている。
【００１６】
上記化粧板２は、長尺状の板体と、該板体の表面に設けられた化粧層と、を有する。板体の材質は、特に限定されず、木、合成樹脂ボード、石膏ボードなどの無機ボードなどの公知の材質を使用できる。また、化粧板２は、鋸、カッターなどの切断器具を用いて、所望の位置で切断できる材質からなる。
さらに、上記板体は、防火上の観点から準不燃材または不燃材が好ましい。不燃性の板体としては、例えば、無機材料及び補強繊維をバインダーで固めた無機ボードが挙げられる。
前記無機材料としては、各種セメント類；ケイ砂、ケイ石粉、ケイ藻土などのケイ酸質材料；パーライトなどの無機発泡材；平均粒径５μｍ〜３０μｍ程度のロックウール、スラグウール、グラスウールなどの鉱物質；水酸化アルミニウム、炭酸カルシウムなどの無機質粉状体；平均粒径５０μｍ以下（好ましくは２０μｍ〜５０μｍ）のシラス系ガラス質；などを例示できる無機材料としては、特に耐火性に優れ、比較的軽量な炭酸カルシウムが本発明の効果を達成する上で有用である。
前記補強繊維としては、平均繊維長０．５ｍｍ〜３ｍｍ程度のパルプ；平均繊維長３ｍｍ〜１８ｍｍ（好ましくは３ｍｍ〜１２ｍｍ、より好ましくは３ｍｍ〜６ｍｍ）の合成樹脂繊維、同ガラス繊維、同炭素繊維、同麻繊維；などを例示できる。補強繊維としては、特に柔軟性に優れるパルプが本発明の効果を達成する上で有用である。パルプを用いることにより、化粧板２が撓み易くなり、磁着パネル１の着脱を、より容易に行える。また、パルプは、他の繊維に比べ切断しやすいという特性も併せ持っており、化粧板２を適宜な位置で容易に切断できる。
前記バインダーとしては、デンプン、ポリビニルアルコール、フェノール系樹脂などを例示できる。
上記無機ボードに於ける無機材料などの配合割合は、好ましくは、無機材料が６０質量部〜９７質量部であり、補強繊維が３質量部〜１８質量部であり、バインダーが残部である。
【００１７】
また、上記化粧層としては、化粧シート、吹きつけ塗装、印刷、コーティング、塗り加工などを例示できる。中でも、化粧層としては、板体に化粧シートを積層する方法が好ましい。化粧シートは、加工性が良く、板体の表面を覆い隠すことによって様々な色、模様、光沢、触感を表現できるからである。前記化粧シートの材質についても特に限定されず、紙、合成樹脂シート、発泡シート、剛性紙、不織布などの公知の材質を使用できる。化粧シートの表面に表される模様は、任意であり、例えば、木目模様、煉瓦模様、市松模様、織物柄、和紙模様、土壁模様などが挙げられる。
【００１８】
化粧板２の曲げ強度は、特に限定されないが少なくとも９Ｎ／ｍｍ２以上、好ましくは１０Ｎ／ｍｍ２〜３０Ｎ／ｍｍ２であり、より好ましくは、１５Ｎ／ｍｍ２〜２０Ｎ／ｍｍ２である。このような曲げ強度の化粧板２を有する磁着パネル１は、不陸部を有する施工面に取り付けた際、化粧板２の裏面が前記不陸部の凸部に当たっても、該凸部に対応して適度に湾曲するので好ましい。
ただし、上記曲げ強度は、ＪＩＳ  Ａ  １４０８に準じた方法によって測定された値をいう。
【００１９】
さらに、上記化粧板２の曲げ破断強度は、特に限定されないが、好ましくは３５０Ｎ以上であり、より好ましくは４００Ｎ以上であり、特に好ましくは５００Ｎ以上である。なお、化粧板２の曲げ破断強度の上限は、特に限定されないが、７５０Ｎ以下であり、一般的には６５０Ｎ以下である。
曲げ破断強度が４００Ｎ以上の化粧板２は、曲げても割れにくく、磁着パネル１の施工性に優れ、保管も簡便である。
ただし、上記曲げ破断強度は、ＪＩＳ  Ａ  １４０８に準じた方法によって測定された値をいう。
【００２０】
また、化粧板２の重量は、特に限定されないが、好ましくは３．４ｇ／ｃｍ２以下であり、より好ましくは、１．５〜３．４ｇ／ｃｍ２である。化粧板２が重すぎる場合には、吸着力の強い帯状シート磁石３を用いる必要があり、かかる帯状シート磁石３を用いると、磁着パネル１を取り外し難くなる上にハンドリング性も低下するからである。又、化粧板２が軽すぎる場合は、充分な強度が得られないばかりでなく、防火効果も低下するので好ましくない。
【００２１】
化粧板２の厚みは、化粧板２（板体）の材質によって異なるものの、通常、２．５ｍｍ〜５ｍｍであり、好ましくは２．５ｍｍ〜３．５ｍｍである。具体的寸法では、化粧板２の厚みは、約３ｍｍが好ましい。前記厚みが薄すぎると、充分な強度、重量が得られず、磁着パネル１の着脱が困難となる。さらに、サネ構造の形成が困難となり意匠性も低下する。一方、厚みが厚すぎると、重量が大きすぎて磁力による保持が困難となる上、柔軟性が低下するので化粧板２を湾曲させて着脱を容易に行うことも困難となる。
【００２２】
化粧板２の長さ（長手方向長さ）は、特に限定されないが、余りに長いと、取り外す際に湾曲させると破損する虞がある上、取り扱い性も悪く、反対に余りに短いと、湾曲させることが困難となり磁着パネル１の取り外しが困難となる上、施工時に磁着パネル１を長手方向に多数継がなければならないので施工性も悪くなる。これらを考慮すると、化粧板２の長さは、好ましくは１５００ｍｍ〜２６００ｍｍであり、より好ましくは１７００ｍｍ〜２５００ｍｍである。具体的寸法では、化粧板２の長さは、約１８２０ｍｍ（所謂６尺）に形成することが好ましい。
また、化粧板２の幅（幅方向長さ）についても特に限定されないが、余りに長いと化粧板２が割れたり、撓んだりして施工性が悪く、余りに短いと施工時に化粧板２を幅方向に多数継がなければならない。これらを考慮すると、化粧板２の幅は、好ましくは４００ｍｍ〜６００ｍｍであり、より好ましくは４４５ｍｍ〜４５５ｍｍである。具体的寸法では、化粧板２の幅は、約４５０ｍｍ（所謂３尺の半分）に形成することが好ましい。
【００２３】
化粧板２の両方の側部２ａ，２ｂには、サネ構造が形成されている。具体的には、化粧板２の一方側部２ａには、化粧板２の表面と略平行な面を有し、且つ化粧板２の厚みよりも薄肉の第１サネ部２１が設けられ、一方、化粧板２の他方側部２ｂには、化粧板２の裏面と略平行な面を有し、且つ化粧板２の厚みよりも薄肉の第２サネ部２２が設けられている。第１サネ部２１及び第２サネ部２２は、化粧板２の両側部２ａ，２ｂ（長手方向に延びる側部）の全体から外方に突出した長状突出部からなる。
上記サネ構造が形成されていることによって、例えば、１枚目の磁着パネル１の第２サネ部２２の上に、２枚目の磁着パネル１の第１サネ部２１を重ね合わせつつ、幅方向に位置合わせを行うことによって、複数枚の磁着パネル１を順次取り付けることができる。
なお、上記第１サネ部２１が化粧板２の他方側部２ｂに設けられ、上記第２サネ部２２が化粧板２の一方側部２ａに設けられていてもよい。
【００２４】
上記第１サネ部２１及び第２サネ部２２の突出長は特に限定されないが、好ましくは第２サネ部２２の突出長２２Ｌは、第１サネ部２１の突出長２１Ｌよりも長いことが好ましい。第２サネ部２２の上に第１サネ部２１を重ね合わせて位置調整しながら複数枚の磁着パネル１を施工した際に、隣接する磁着パネル１の重ね合わせ部分（継ぎ目）に長手方向に延びる目地（筋状の凹み）を形成できるからである。
例えば、上記第１サネ部２１の突出長２１Ｌは、２ｍｍ〜６ｍｍ程度であり、好ましくは２ｍｍ〜４ｍｍ程度である。具体的寸法では、第１サネ部２１の突出長２１Ｌは、約３ｍｍが好ましい。
一方、上記第２サネ部２２の突出長２２Ｌは、７ｍｍ〜１２ｍｍ程度であり、好ましくは７ｍｍ〜９ｍｍ程度である。具体的寸法では、第２サネ部２２の突出長２２Ｌは、約８ｍｍが好ましい。
上記目地の幅は、第２サネ部２２の突出長２２Ｌと第１サネ部２１の突出長２１Ｌの差によって適宜設定でき、通常、３〜７ｍｍの範囲、好ましくは４ｍｍ〜６ｍｍ、より好ましくは５ｍｍ程度に形成される。目地の幅が適正範囲であると、指やヘラ等をサネ構造の隙間に挿入し易くなり、磁着パネル１の取り外しを容易に行える上、意匠的にも好ましいものとなる。
【００２５】
第１サネ部２１の厚み及び第２サネ部２２の厚みは、最大で化粧板２の厚みの１／２である。１枚目の磁着パネル１の第１サネ部２１と２枚目の第２サネ部２２の重ね合わせ部分（継ぎ目）が、盛り上がることを防止するためである。
また、図３に示すように、第１サネ部２１の裏面及び第２サネ部２２の表面は、傾斜面状に形成されていることが好ましい。磁着パネル１を取り外す際、第１サネ部２１と第２サネ部２２の隙間に、指やヘラ等を入れやすくなるからである。
第１サネ部２１の裏面及び第２サネ部２２の表面が、傾斜面状に形成される場合には、第１サネ部２１及び第２サネ部２２の基部（化粧板２との境界部）の厚みが、最も厚く形成され、第１サネ部２１及び第２サネ部２２の外端部に向かうに従って、厚みが薄く形成されている。
【００２６】
次に、一対の帯状シート磁石３，３は、化粧板２の裏面（施工面に面する側）から突出するように設けられている。帯状シート磁石３は、薄肉シート状に形成した永久磁石を、細長いテープ状に形成したものである。
帯状シート磁石３は、１枚の化粧板２に対して２本設けられている。該帯状シート磁石３は、化粧板２の両方の側部２ａ，２ｂの近傍において、化粧板２の長手方向と略平行に延びて設けられている。該帯状シート磁石３は、例えば、接着剤を介して化粧板２の裏面に取り付けられている。前記接着剤は、帯状シート磁石３の吸着力よりも強い接着力を有する必要がある。具体的には、前記接着剤は、少なくとも５ｋＰａ以上、望ましくは９ｋＰａ以上の接着力を有するものを選択する。また、前記接着剤は、帯状シート磁石３に対する耐ブリード性を有するものが好ましく、例えば、変性ポリアミド系接着剤、ホットメルト型接着剤などを例示できる。
【００２７】
化粧板２の両側部２ａ，２ｂに対する帯状シート磁石３の取付位置は、図３に示すように、化粧板２の両側部２ａ，２ｂと帯状シート磁石３の一側縁３ａの間の距離３Ｌが、好ましくは５ｍｍ〜３０ｍｍであり、より好ましくは１０ｍｍ〜２０ｍｍである。帯状シート磁石３の一側縁３ａが、化粧板２の両側部２ａ，２ｂと一致していると、磁着パネル１を取り外し難く、一方、帯状シート磁石３が、化粧板２の両側部２ａ，２ｂから離れすぎていると、２本の帯状シート磁石３の取付間隔が狭まって、隣接する磁着パネル１の継ぎ目が浮き上がる虞があるからである。
【００２８】
また、化粧板２の上端部２ｃに対する帯状シート磁石３の取付位置は、帯状シート磁石３の上端縁３ｃが化粧板２の上端部２ｃに一致するように設けられていても良いが、好ましくは、図２に示すように、帯状シート磁石３の上端縁３ｃが、化粧板２の上端部２ｃから僅かに離間して設けられていることが好ましい。
同様に、化粧板２の下端部２ｄに対する帯状シート磁石３の取付位置は、帯状シート磁石３の下端縁３ｃが化粧板２の下端部２ｄに一致するように設けられていても良いが、好ましくは、図２に示すように、帯状シート磁石３の下端縁３ｄが、化粧板２の下端部２ｄから僅かに離間して設けられていることが好ましい。
上記のように帯状シート磁石３の上端縁３ｃ及び／又は下端縁３ｄを、化粧板２の上下端部２ｃ，２ｄから離間して設けることにより、化粧板２の上端部２ｃ及び／又は下端部２ｄに見切り材を装着した際、帯状シート磁石３が見切り材と接触することによって帯状シート磁石３の上下端縁３ｃ，３ｄが化粧板２から剥がれることを防止できる。
【００２９】
かかる帯状シート磁石３の上端縁３ｃと化粧板２の上端部２ｃの間の距離３Ｎは、少なくとも１０ｍｍ以上とするのが良く、好ましくは１５ｍｍ〜３０ｍｍであり、より好ましくは１８ｍｍ〜２５ｍｍである。具体的には、前記距離３Ｎは、２０ｍｍ前後に設定するのが最も使い勝手が良い。
また、帯状シート磁石３の下端縁３ｄと化粧板２の下端部２ｄの間の距離３Ｐは、少なくとも１０ｍｍ以上とするのが良く、好ましくは１５ｍｍ〜３０ｍｍであり、より好ましくは１８ｍｍ〜２５ｍｍである。具体的には、前記距離３Ｐは、２０ｍｍ前後に設定するのが最も使い勝手が良い。
上記距離３Ｎや距離３Ｐが、余りに短いと、見切り材を装着した際、帯状シート磁石３の上下端縁３ｃ，３ｄが見切り材に接触する場合があり、一方、余りに長いと、化粧板２の上下端部２ｃ，２ｄが施工面から浮き上がる虞があるからである。
【００３０】
帯状シート磁石３の幅３Ｗは、特に限定されないが、好ましくは２５ｍ〜４０ｍｍであり、より好ましくは２５ｍｍ〜３０ｍｍである。前記幅３Ｗが小さすぎると、磁力が不足して磁着パネル１を施工面に取り付けることが困難であり、又、取り付けることができても僅かな外力で磁着パネル１が位置ズレし、場合によっては滑落する虞がある。反対に、前記幅３Ｗが大きすぎると、磁力が強すぎ、施工時に磁着パネル１の位置合わせが困難となるばかりでなく、取り外し時に磁着パネル１の折れ曲りや、帯状シート磁石３と化粧板２が層間剥離を生じる虞がある。さらに、前記幅３Ｗが大きすぎると、化粧板２の、一対の帯状シート磁石３の間の部分を適切に湾曲させることが困難となり、磁着パネル１を湾曲させながら容易に取り外す効果が得られにくくなる。
帯状シート磁石３の厚みは、特に限定されないが、好ましくは０．４ｍｍ〜１．２ｍｍであり、より好ましくは０．６ｍｍ〜１ｍｍである。帯状シート磁石３の厚みが余りに厚すぎると化粧板２と施工面の隙間が大きくなり、施工した磁着パネル１を斜め方向から見た場合に、化粧板２の間から帯状シート磁石３が見えて美観を損なう虞があるからである。加えて、帯状シート磁石３の厚みが余りに厚いと、磁力が強すぎて施工性が低下したり、施工時に磁着パネル１を破損する虞がある。一方、余りに薄いと、十分な磁力が得られない上、化粧板２と施工面の間隔が小さくなりすぎて施工上支障が生じる場合がある。
【００３１】
帯状シート磁石３の吸着力は、好ましくは２．４ｋＰａ〜８．４ｋＰａであり、より好ましくは３．９ｋＰａ〜７．９ｋＰａであり、特に好ましくは５ｋＰａ〜７ｋＰａである。また、帯状シート磁石３の表面磁束密度は、好ましくは３０ｍＴ〜５４ｍＴであり、より好ましくは３６ｍＴ〜５０ｍＴであり、特に好ましくは３８ｍＴ〜４８ｍＴである。
かかる帯状シート磁石３を用いることにより、施工面に対して十分な吸着力で磁着でき、且つ、手の力で引き離すことができるからである。
【００３２】
さらに、上記帯状シート磁石３の性質は、等方性または異方性の何れでも良い。
ここで、異方性磁石とは、磁石の結晶粒の方向が整列していて、磁化容易軸が揃った磁石をいう。異方性磁石は、特定の方向から磁化（着磁）することにより他の方向から磁化したときよりも強い磁石を得ることができる。異方性磁石の好例としては、フェライトの六角晶を含む磁石が挙げられ、該磁石は、六角晶の面と垂直方向に磁化容易軸が生じる。異方性磁石は、一方向（磁化容易軸）に磁力線が作用するので、その方向に対して強い吸着力が生じるが、他の方向に対しては吸着力が極めて弱い。
一方、等方性磁石とは、磁石内の結晶粒の磁化容易軸が特定の方向に揃っておらず、磁気特性が等方的な磁石をいう。該等方性磁石は、立方的にどの方向においても磁力線が作用するが、個々の磁力線は、異方性磁石の一方向に於ける磁力線に比べると弱いと言える。
【００３３】
好ましくは、上記帯状シート磁石３は、異方性の磁石が用いられる。帯状シート磁石３が異方性磁石の場合、その磁化容易軸が帯状シート磁石３の磁着面に対して垂直な方向（つまり、施工面に対して垂直な方向）となるように形成される。
かかる異方性磁石の帯状シート磁石３は、施工面に対して極めて強い吸着力で磁着する一方、帯状シート磁石３の一側縁３ａを起点として、該帯状シート磁石３を施工面から引き起こすと、比較的小さい力で帯状シート磁石３を施工面から引き離すことができる。特に、化粧板２の湾曲を利用すれば、帯状シート磁石３の磁力線の方向を、施工面に対して容易にずらすことができ、上記異方性磁石を用いた場合、磁力線の方向が施工面に対してずれると（傾斜すると）、吸着力が大きく低下するので磁着パネル１を施工面から容易に引き離すことができる。
【００３４】
さらに、上記帯状シート磁石３の性質は、片面多極着磁または両面多極着磁の何れでも良い。
ここで、片面多極着磁の磁石とは、磁石の表面又は裏面の何れか一方の面にＮ極及びＳ極が交互に並び、前記一方の面のみに磁力線が生じるシート状の磁石をいう。片面多極着磁の磁石は、磁力線が一方の面においてループ状に生じ、磁力線が一方の面から数ミリ程度離れた範囲にまで作用する。
一方、両面多極着磁の磁石とは、磁石の表面及び裏面の双方の面にそれぞれ、Ｎ極及びＳ極が交互に並び、前記双方の面に磁力線がそれぞれ生じるシート状の磁石をいう。
【００３５】
好ましくは、上記帯状シート磁石３は、片面多極着磁の磁石が用いられる。帯状シート磁石３が片面多極着磁の場合、多極着磁の磁着面（磁力線が作用する面）が、施工面に面するように形成される。
かかる片面多極着磁の帯状シート磁石３は、施工面に対して極めて強い吸着力で磁着する。また、片面多極着磁の帯状シート磁石３の場合には、化粧板２の表面側には、磁力線が作用せず、従って、磁力によって悪影響を受ける電子機器類などを化粧板２（磁着パネル１）の表面側に設置することも可能となる。特に、化粧板２の湾曲を利用すれば、帯状シート磁石３の磁着面と施工面の間に隙間を形成することができ、上記片面多極着磁の磁石を用いた場合、帯状シート磁石３と施工面の間の隙間が大きくなると磁力が低下するので、磁着パネル１を施工面から容易に引き剥がすことができる。
【００３６】
上記片面多極着磁の極間は、好ましくは０．３ｍｍ〜２ｍｍの範囲である。極間が０．３ｍｍ未満であると磁力線の回り込みが小さくなるので、十分な吸着力を有する帯状シート磁石３を得ることが困難となる。また、極間が２ｍｍを越えると、帯状シート磁石３の厚みに対して相対的に極間が大きくなるので、十分な吸着力を有する帯状シート磁石３を得ることが困難となる。なお、ワンターン着磁ヨークによって着磁する場合は、極間を１．０ｍｍ以上とするのが好ましい。
【００３７】
上記帯状シート磁石３は、最も好ましくは、異方性且つ片面多極着磁の双方の性質を有するものである。特に、磁着パネル１を取り外す際、上述のように、帯状シート磁石３の施工面に対する磁力線のずれと、帯状シート磁石３の磁着面と施工面との隙間形成と、が相乗し、より容易に磁着パネル１を施工面から引き離すことができる。一方、磁着パネル１が施工面に取り付けられている状態では、施工面に対して磁力線方向が一致しているので、異方性と片面多極着磁の双方の磁力を高める性質が発揮され、より強い吸着力にて施工面に取付け得る。
【００３８】
上記帯状シート磁石３の製法は、特に限定されず、例えば、樹脂またはゴムなどのベースポリマーに磁性粉末を混合した組成物をシート状に成形（押出し成形、圧延成形など）することにより得ることができる。
磁性粉末としては、鉄粉、ＭＯ・６Ｆｅ２Ｏ３（前記Ｍは、Ｓｒ、Ｂａ、Ｐｂなどの２価の金属を表す）で表されるフェライト系粉末、ＲＣｏ５，Ｒ２Ｃｏ１７（前記Ｒは、Ｓｍ、Ｙ、Ｌａ、Ｃｅなどの希土類元素を表す）で表される希土類コバルト系粉末、Ｒ２Ｆｅ１４Ｂを主相とするＲ−Ｆｅ−Ｂ系粉末、マンガン− ビスマス系粉末、マンガン−アルミニウム系粉末、コバルト系粉末（例えば、Ａｌ−Ｎｉ−Ｃｏ系、Ｆｅ−Ｃｒ−Ｃｏ系等）などを例示できる。特に、フェライト系粉末が好適である。
磁性粉末の配合量は、好ましくは８０〜９７質量％であり、より好ましくは８５〜９５質量％である。磁性粉末の配合量が少なすぎると、磁力が低下して磁着パネル１の取付けに必要な吸着力が得られなくなり、前記配合量が多すぎると、帯状シート磁石３の柔軟性が低下するので、化粧板２の曲げに追従しにくくなる上、磁着パネル１を切断し難くなる。
また、上記ベースポリマーとしては、塩素化ポリエチレン、ウレタンゴム、アクリルゴム、イソプレンゴム、ニトリルゴムなどを例示できる。特に、塩素化ポリエチレン、ニトリルゴムが好適である。なお、ニトリルゴムは、アクリロニトリルとブタジエンとの共重合によって得られる共重合ゴムである。塩素化ポリエチレン及び／又はニトリルゴムを用いると、柔軟性が高く、且つ切断も容易に行えるシート磁石が得られる。
また、上記組成物には、必要に応じて、架橋剤、架橋助剤、可塑剤、滑剤、カップリング剤などの各種添加剤を配合してもよい。  
【００３９】
異方性且つ片面多極着磁の磁石を得る方法としては、磁場コイルによって発生した磁場を使用する方法と、機械的圧力を加える方法の２種類の方法があり、いずれも磁性材料の磁化容易軸を１方向に整列させることができる。磁場を使用する方法は、磁場中成形法といい、主にフェライト、プラスチック磁石などに用いられる。 機械的圧力を加える方法は、機械的圧力により磁性材料の粒子を１方向に整列させる方法で、主にラバー磁石に用いられる。
【００４０】
なお、本発明の壁体の構築方法においては、少なくとも１枚の磁着パネル１を、施工面の不陸部に対応するように取り付けることから、幅の異なる２以上の磁着パネル１を準備しておくことが好ましい。
例えば、図４に示すように、上記基本幅（例えば、上記４５０ｍｍ幅）の磁着パネル１（以下、幅が狭い又は広い磁着パネルと区別するために、この基本幅の磁着パネル１を「基本磁着パネル」という場合がある）よりも幅が狭い磁着パネル１’（以下、基本磁着パネルと区別するために、この幅が狭い磁着パネルを「幅狭磁着パネル」という場合がある）、及び、図５に示すように、上記基本磁着パネル１よりも幅が広い磁着パネル１”（以下、基本磁着パネルと区別するために、この磁着パネルを「幅広磁着パネル」という場合がある）の少なくとも何れか一方を準備する。
幅狭磁着パネル１’及び幅広磁着パネル１”の幅は、基本磁着パネル１に応じて適宜設定される。基本磁着パネル１の幅が４５０ｍｍの場合には、幅狭磁着パネル１’の幅は、約２２５ｍｍなどであり、幅広磁着パネル１”の幅は、約６００ｍｍなどである。
【００４１】
なお、上記幅狭磁着パネル１’及び幅広磁着パネル１”の何れも、上記基本磁着パネル１に比して化粧板２の幅が異なるだけであり、幅狭磁着パネル１’及び幅広磁着パネル１”のその他の構成は、基本磁着パネル１と同様である。
もっとも、幅狭磁着パネル１’は、基本磁着パネル１に比して軽くなるので、その割合に応じて、基本磁着パネル１よりも帯状シート磁石３の幅を狭く形成することが好ましい。同様に、幅広磁着パネル１”は、基本磁着パネル１に比して重くなるので、その割合に応じて、基本磁着パネル１よりも帯状シート磁石３の幅を広く形成することが好ましい。
【００４２】
＜端部カバー部材＞
本発明の壁体の構築方法は、複数枚の磁着パネル１を施工面に取り付けることにより、該複数枚の磁着パネル１で壁体が構築される。該壁体の端部には、端部カバー部材を装着することが好ましい。
例えば、壁体の側端部（複数枚の磁着パネル１のうち、側方に配置される磁着パネル１の未接合側部）には、必要に応じて、隅材が装着される。また、壁体の上端部（複数枚の磁着パネル１の各上端部）には、必要に応じて、上方見切り材が装着され、壁体の下端部（複数枚の磁着パネル１の各下端部）には、必要に応じて、下方見切り材が装着される。また、磁着パネル１が上下に並べて配置される場合には、必要に応じて、下方の磁着パネル１の上端部と上方の磁着パネル１の下端部を接続するために、両端部間にジョイナーが装着される。
【００４３】
上記各端部カバー部材は、細長い形状であり、合成樹脂成形品、金属成形品などで形成される。
【００４４】
上記隅材としては、入隅または出隅に応じて、入隅材または出隅材が用いられる。
図６（ａ）に、入隅材の一例を示す。該入隅材５は、略コの字状の挿入口５５を有する。該挿入口５５は、一方側に延出された第１片５１及び第２片５２の間に形成され、前記第１片５１及び第２片５２の基部が連結片５３で連結されている。前記入隅材５の挿入口５５に磁着パネル１の側部を嵌め入れた際、第１片５１は、磁着パネル１の表面側に位置し、且つ第２片５２は、磁着パネル１の裏面側に位置する。
上記第２片５２の延出長さは、磁着パネル１の側部を挿入口５５に嵌め入れた際、第２片５２の延出端部が帯状シート磁石３の一側縁３ａに接触しない程度に形成されていることが好ましい。帯状シート磁石３の一側縁３ａが入隅材５と接触することを防止して、帯状シート磁石３の一側縁３ａが化粧板２から剥がれることを防止するためである。
また、第２片５２の厚みは、帯状シート磁石３の厚みと略同一又はそれよりも薄く形成されていることが好ましい。入隅材５を装着した際、帯状シート磁石３の磁着面が施工面から離反しないようにするためである。
【００４５】
図６（ｂ）は、出隅材６の一例を示す。該出隅材６は、略コの字状の挿入口６５を２箇所有する。該２箇所の挿入口６５は、その開口が略９０度となるように向けて形成されている。該挿入口６５は、上記入隅材５と同様に、一方側に延出された第１片６１及び第２片６２の間に形成され、前記第１片６１及び第２片６２の基部が連結片６３で連結されている。
上記出隅材６の第２片６２の延出長さ及び厚みは、上記入隅材５の第２片５２の延出長さ及び厚みと同様に形成されていることが好ましい。
【００４６】
図６（ｃ）は、上方見切材７の一例を示す。該上方見切り材７は、略コの字状の挿入口７５を有する。該挿入口７５は、上記入隅材５と同様に、一方側に延出された第１片７１及び第２片７２の間に形成され、前記第１片７１及び第２片７２の基部が連結片７３で連結されている。
上記上方見切り材７の第２片７２の延出長さは、磁着パネル１の上端部を挿入口７５に嵌め入れた際、第２片７２の延出端部が帯状シート磁石３の上端縁３ｃに接触しない程度に形成されていることが好ましい。帯状シート磁石３の上端縁３ｃが上方見切り材７と接触することを防止して、帯状シート磁石３の上端縁３ｃが化粧板２から剥がれることを防止するためである。
また、上記第２片７２の厚みは、帯状シート磁石３の厚みと略同一又はそれよりも薄く形成されていることが好ましい。上方見切り材７を装着した際、帯状シート磁石３の磁着面が施工面から離反しないようにするためである。
【００４７】
なお、下方見切り材は、上方見切り材と同様に形成されることが好ましく、その説明は省略する。
【００４８】
図６（ｄ）は、ジョイナー４の一例を示す。該ジョイナー４は、略コの字状の挿入口４５と、略Ｌ字状の挿入口４６と、を有する。該挿入口４５は、上記上方見切り材７と同様に、一方側に延出された第１片４１及び第２片４２の間に形成され、前記第１片４１及び第２片４２の基部が連結片４３で連結されている。挿入口４６は、基部が連結片４３に連結され且つ前記第１片４１と約１８０°の反対方向に延出された第３片４４によって形成されている。第２片４２の延出長さ及び厚みは、上記上方見切り材７の第２片７２の延出長さ及び厚みと同様に形成されていることが好ましい。
【００４９】
＜壁体の構築方法＞
上記磁着パネル１を、帯状シート磁石３を介して、スチール製家具の施工面に順次取り付けていく。
スチール製家具とは、磁石に磁着可能な金属（鉄など）を用いて形成された家具類であり、その全てが金属で形成されているものに限られず、一部分に非金属部位が含まれていてもよい。スチール製家具としては、例えば、鉄製の書棚、鉄製のロッカー、鉄製の整理棚などを例示できる。
本発明の構築方法を適用することにより、オフィスの部屋の壁体、オフィスの机同士を仕切る壁体、一般家庭の部屋の壁体、展示会などの各種イベントの設置ブースを仕切る壁体、などの各種壁体を構築できる。
【００５０】
本発明の壁体の構築方法は、オフィス用途に適用することが好ましい。オフィス内にはスチール製家具が多数存在し、さらに、オフィスでは、頻繁にレイアウト変更を行うことが多いからである。
本発明によれば、簡易に且つ安価に、高級感のある壁体を構築でき、更に、簡単に取り外してレイアウト変更を行うことができる。
【００５１】
以下、本発明の壁体の構築方法によって、オフィスの部屋を形成する場合について詳述する。ただし、複数の同じ部材を区別するため、語尾にＡ，Ｂ…の符号を付す場合がある。
図７は、複数のスチール製家具８Ａ，…が配置されたオフィスを示す。なお、９１は、オフィスの壁面であり、通常、壁紙などが貼着されている。
なお、図７では、２台のスチール製家具８Ａ，８Ｂを例示しているが、本発明の壁体の構築方法は、２台のスチール製家具８Ａ，８Ｂに壁体を構築する場合に限られない。本発明は、オフィスのレイアウトを考慮して、適切な台数のスチール製家具を適宜な位置に配置することにより、スチール製家具を利用した任意の壁体を構築できる。
【００５２】
上記壁面９１に、第１のスチール製家具８Ａの側面を一致させ、該スチール製家具８Ａの他方の側面に、第２のスチール製家具８Ｂの側面を一致させて、２台のスチール製家具８Ａ，８Ｂを配置する。この際、２台のスチール製家具８Ａ，８Ｂの背面８１が、略面一となるように配置させることが好ましい。
【００５３】
スチール製家具８Ａ，８Ｂは、様々な幅のものが市販されているが、オフィス用途では、幅９００ｍｍ前後のスチール製家具が多い。このため、基本磁着パネル１は、その幅が４５０ｍｍに形成されていることが好ましく、幅狭磁着パネル１’は、その幅が２２５ｍｍに形成されていることが好ましい。
【００５４】
上記のように配置されたスチール製家具８Ａ，８Ｂの背面８１（スチール製家具の背面は、通常、物品の出し入れを行うようになっておらず、ほぼ平坦面となっている）が、磁着パネル１を取り付ける施工面である。
ただし、２台のスチール製家具８Ａ，８Ｂの背面８１が略面一となるように配置しても、通常、隣接するスチール製家具８Ａ，８Ｂの境界部分に、段差８２（不陸部）が生じ得る。
【００５５】
まず、第１のスチール製家具８Ａの背面８１の側部（壁面９１に接する部分）に、上述した入隅材５を取り付ける。
【００５６】
図８に示すように、この入隅材５の挿入口５５に、幅狭磁着パネル１’Ａの第２サネ部２２を嵌入する。この際、幅狭磁着パネル１’Ａを幅方向において湾曲させながら、第２サネ部２２を入隅材５に嵌入すれば、第２サネ部２２を入隅材５に確実に入れ込むことができ、幅狭磁着パネル１’Ａと入隅材５の間に隙間が生じることを防止できる。よって、幅狭磁着パネル１’Ａと入隅材５の間から、スチール製家具８Ａの背面８１（下地）が見えることを防止できる。
幅狭磁着パネル１’Ａを湾曲させることによって、該幅狭磁着パネル１’Ａの第２サネ部２２の近傍に設けられた帯状シート磁石３のみをスチール製家具８Ａの背面８１に磁着させ、且つ幅狭磁着パネル１’Ａの第１サネ部２１の近傍に設けられた帯状シート磁石３を背面８１から浮かせた状態にすることができる。この状態においては、背面８１に対する幅狭磁着パネル１’Ａの吸着力は弱いので、入隅材５への嵌入が容易に行える上、正確に位置決めをすることが可能となる。特に、帯状シート磁石３が異方性磁石及び／又は片面多極着磁の場合には、前述のように湾曲により帯状シート磁石３と背面８１の間の隙間が大きくなると磁力が低下するので、幅狭磁着パネル１’の位置合わせをより容易に行える。
なお、幅狭磁着パネル１’Ａの第１サネ部２１を入隅材５に嵌入してもよい。第１サネ部２１から入れた場合には、２枚目以降の磁着パネル１は、第１サネ部２１側から嵌め入れられる。
【００５７】
幅狭磁着パネル１’Ａの第２サネ部２２を入隅材５に嵌入した後、位置決めし、湾曲させた幅狭磁着パネル１’Ａを元の平板状に復帰させ、スチール製家具８Ａの背面８１側へ押す。これにより、該幅狭磁着パネル１’Ａの一対の帯状シート磁石３の磁着面が、背面８１に磁着し、幅狭磁着パネル１’Ａが背面８１に取り付けられる。
図９は、スチール製家具の天面側から見た、幅狭磁着パネル１’Ａと入隅材５の嵌入状態を表す図である。
図９に示すように、前記幅狭磁着パネル１’Ａの裏面側に位置する入隅材５の第２片５２は、帯状シート磁石３の一側縁３ａに接していない上、該第２片５２が、化粧板２の裏面と背面８１の間に介在しても、帯状シート磁石３の磁着面３１は、確実に背面８１に接している。
【００５８】
次に、図１０に示すように、２枚目の磁着パネル１（基本磁着パネル１Ｂ）の第２サネ部２２を、上記幅狭磁着パネル１’Ａの第１サネ部２１の裏面側へと嵌め入れる。この際、上記基本磁着パネル１Ｂを幅方向において湾曲させながら、その第２サネ部２２を幅狭磁着パネル１’Ａの第１サネ部２１に嵌入すれば、第２サネ部２２を確実に入れ込むことができ、基本磁着パネル１Ｂと幅狭磁着パネル１’Ａの間に隙間が生じることを防止できる。よって、隣接する磁着パネルの間から、スチール製家具８Ａの背面８１が見えることを防止できる。
そして、位置決めし、湾曲させた基本磁着パネル１Ｂを元の平板状に復帰させ、スチール製家具８Ａの背面８１側へ押圧する。
磁着パネル１は、化粧板２の両側部２ａ，２ｂの近傍のみに帯状シート磁石３が設けられているので、上記基本磁着パネル１Ｂを幅方向にずらしながら容易に位置決めをすることができる。
【００５９】
次に、上記２枚目の磁着パネル１と同様にして、３枚目の磁着パネル１（基本磁着パネル１Ｃ）を取り付けるが、該基本磁着パネル１Ｃは、隣接するスチール製家具８Ａ，８Ｂの境界部分の段差８２に、対応して取り付けられる。
具体的には、上記幅狭磁着パネル１’Ａ及び基本磁着パネル１Ｂを第１のスチール製家具８Ａに取り付けると、３枚目の磁着パネル１（基本磁着パネル１Ｃ）は、隣接するスチール製家具８Ａ，８Ｂの段差８２に跨るように配置される。該基本磁着パネル１Ｃは、その幅方向中央部に段差８２が対応する。従って、図１１（スチール製家具の天面側から見た図）に示すように、基本磁着パネル１Ｃは、一対の帯状シート磁石３，３の間における化粧板２の裏面が前記段差８２（不陸部）に対面する。
【００６０】
かかる基本磁着パネル１Ｃは、化粧板２の曲げ強度が９Ｎ／ｍｍ２〜３０Ｎ／ｍｍ２であるため、適度に湾曲する。従って、図１１に示すように、化粧板２の裏面に段差８２の凸部が当たっても、該化粧板２（基本磁着パネル１Ｃ）が適度に湾曲するので、その一対の帯状シート磁石３，３の磁着面３１，３１が、背面８１に対して略平行となる。よって、帯状シート磁石３，３を介して、基本磁着パネル１Ｃを背面８２に確実に取り付けることができる。また、上記化粧板２（基本磁着パネル１Ｃ）の表面は、外見上、殆ど識別できないほどのなだらかな曲面を描くので、該化粧板２の表面に段差８２に対応した形状が現れず、外見上、平面的な壁体を構築できる。
【００６１】
なお、化粧板２の３０Ｎ／ｍｍ２を超えていても、段差８２が比較的小さい場合には、基本磁着パネル１Ｃを背面８１に確実に取り付けることができる。具体的には、一対の帯状シート磁石３，３は化粧板２の裏面から突出しているので、一対の帯状シート磁石３，３の間における化粧板２の裏面と帯状シート磁石３の磁着面３１を含む平面との間には、帯状シート磁石３の厚みに相当する空間が形成されている。従って、上記基本磁着パネル１Ｃの化粧板２が３０Ｎ／ｍｍ２を超えていて、比較的曲がり難い場合であっても、図１２に示すように、前記空間内に段差８２が収まるため、上記基本磁着パネル１Ｃは、背面８１に対して略平行または極めて緩やかに傾斜する。よって、一対の帯状シート磁石３，３の磁着面３１が背面８１に確実に接し、基本磁着パネル１Ｃを背面８１に確実に取り付けることができる。
【００６２】
次に、同様にして、４枚目の磁着パネル１（基本磁着パネル１Ｄ）を取り付けた後、幅狭磁着パネル１’Ｅを取り付ける。このようにして、２台のスチール製家具８Ａ，８Ｂの背面８１，８１に、複数枚の磁着パネル１（本実施形態では、幅狭磁着パネル１’が２枚、基本磁着パネル１が３枚）からなる壁体が構築される（図１３参照）。
【００６３】
さらに、図１３に示すように、上記幅狭磁着パネル１’Ｅの第１サネ部２１に、上述した出隅材６を装着した後、第２のスチール製家具８Ｂの開放された側面８３に基本磁着パネル１Ｆを取り付け、該基本磁着パネル１Ｆの第１サネ部２１（終端サネ部）に入隅材５を装着する。
さらに、既に取り付けた上記幅狭磁着パネル１’Ａ，１’Ｅ及び基本磁着パネル１Ｂ，１Ｃ，１Ｄ，１Ｆの上端部には、上述した上方見切り材７を取り付ける。
上記のような手順で壁体を構築できる。得られた壁体は、磁着パネル１、隅材５，６及び上方見切り材７によって、施工面の不陸が隠蔽され、外観上好ましい。上記壁体は、隅材５，６及び上方見切り材８７が磁着パネル１と一体になっているために、一体感に優れ、隙間からスチール製家具が覗き出ないので、意匠的にも優れている。
なお、上方見切り材７は、幅狭磁着パネル１’Ａを取り付けた後、該幅狭磁着パネル１’Ａに装着してもよい。この場合、２枚目以降の磁着パネル１を取り付ける際に、該磁着パネル１を湾曲させながら既に装着した上方見切り材７に嵌め込むようにしてもよい。
【００６４】
なお、上記各磁着パネル１，１’の下端部に、下方見切り材を装着する場合には、各磁着パネル１，１’を背面８１に取り付ける前に、下方見切り材を背面８１の下端部に取り付けておいても良いし、或いは、各磁着パネル１，１’を取り付けた後、該磁着パネル１，１’の下方側を湾曲させながら下方見切り材を取り付けても良い。特に、化粧板２の曲げ強度が９Ｎ／ｍｍ２〜３０Ｎ／ｍｍ２であれば、磁着パネルを容易に湾曲させることができるので、下方見切り材の取り付けを簡易に行うことが可能となる。
【００６５】
また、各磁着パネル１、１’の長さが、スチール製家具８Ａ，８Ｂの高さよりも短い場合には、図１４に示すように、スチール製家具８Ａ，８Ｂの上方側が露出するので、この部分にも磁着パネル１，１’を取り付けて壁体を構築することが好ましい。
【００６６】
この場合、例えば、図１４に示すように、既に取り付けた幅狭磁着パネル１’Ａ，１’Ｅ及び基本磁着パネル１Ｂ，１Ｃ，１Ｄの上端部に、上述したジョイナー４の挿入口４５を嵌入する。
【００６７】
そして、スチール製家具８Ａ，８Ｂの上方側を覆う長さとなるように、図１５（ａ）に示すように、幅狭磁着パネル１’を切断する（切断線を一点鎖線で示す）。得られた短い幅狭磁着パネル１’Ｇは、図１５（ｂ）に示すように、化粧板２の下端部（切断縁）において帯状シート磁石３，３の下端縁が一致しており、その化粧板２の上端部２ｃにおいて帯状シート磁着３，３の上端縁３ｃが離間している。
【００６８】
図１６（スチール製家具の側面側から見た図）に示すように、この短い幅狭磁着パネル１’Ｇの下端部を、ジョイナー４の略Ｌ字状の挿入口４６に嵌め入れて施工面に磁着する。該短い幅狭磁着パネル１’Ｇの上端部に上方見切り材７の挿入口７５を嵌め込み固定する。
ジョイナー４の挿入口４５は、下方に位置する幅狭磁着パネル１’Ａの上端部に嵌め入れられるが、該挿入口４５を形成する第２片４２は、帯状シート磁石３の上端縁３ｃに接触しないので該帯状シート磁石３の上端縁３ｃが損傷せず、さらに、該帯状シート磁石３の磁着面３１は、確実に背面８１に接する。
また、ジョイナー４の挿入口４６は、第３片４４のみによって形成されているので、切断によって帯状シート磁石の下端縁が化粧板２の下端部に一致している上記短い幅狭磁着パネル１’Ｇを嵌め入れても、該短い幅狭磁着パネル１’Ｇに設けられた帯状シート磁石３が損傷したり、或いは、その磁着面３１が背面８１から離れることを防止できる。
【００６９】
また、上方見切り材７に入れられた短い幅狭磁着パネル１’Ｇの上端部においても同様に、帯状シート磁石３の損傷、磁着面３１の離反を防止できる。
なお、図１６において、９２は、オフィスの天井面を示す。
【００７０】
事後、上記と同様にして、他の磁着パネル１（基本磁着パネル１など）を切断した後、該他の磁着パネル１を、ジョイナー４の上端部の略Ｌ字状の挿入口４６に嵌め入れてから上方見切り材７の挿入口７５に湾曲させながら嵌め込んで取り付ける。この工程を繰り返すことにより、スチール製家具８Ａ，８Ｂの上方側に、壁体を構築することができる。尚、上方見切り材７は、上スチール製家具８Ａ，８Ｂの上方側に施工する磁着パネル１を、全て取り付けた後に装着しても良い。その場合は、上方見切り材７を壁体の側方からスライドさせて入れる、或いは、既に取り付けられた磁着パネル１を湾曲させて上方見切り材７を嵌め込むと、作業が簡単になる。
【００７１】
また、スチール製家具８Ａ，８Ｂの天面８４とオフィスの天井面９２の間隔が長い場合には、磁着パネル１の裏面における空間面積が広くなるため、磁着パネル１の上方側の取付けが不安定になる場合もある。
このような場合には、必要に応じて、図１６に示すように、スチール製家具８Ａ，８Ｂの天面８４に、支持板１００を設置することが好ましい。
支持板１００は、例えば、鉄などの磁石に磁着可能なＬ字状の金属板からなり、支持板１００の一面１０１がスチール製家具８Ａの背面８１に略面一となるように固定されている。該支持板１００の固定方法は特に限定されないが、例えば、支持板１００の他面１０２を、磁石１０３を介してスチール製家具８Ａ，８Ｂの天面に固定する方法が簡便である。
このように支持板１００を設けることにより、帯状シート磁石３が支持板１００の一面１０１に磁着するので、上記磁着パネル１の上方側がぐらつくことを防止できる。
【００７２】
本発明の壁体は、帯状シート磁石３を介して磁着パネル１を施工面に取り付けて構築されるので、その解体も容易に行うことができる。例えば、レイアウト変更をする場合には、磁着パネル１を取り外していき、スチール製家具８Ａ，…の配置を変更した後、磁着パネル１を再び取り付けることにより、再び壁体を構築することができる。
【００７３】
なお、上記壁体の構築方法においては、施工面の不陸部として、スチール製家具８Ａ，８Ｂの境界部分に生じる段差を例示しているが、不陸部は前記段差に限られず、本発明によれば、前記段差以外の不陸部を磁着パネルで良好に隠蔽することもできる。例えば、スチール製家具の背面内に存在する凸部に対面するように磁着パネル１を取り付けることにより、該背面の凸部（施工面の不陸部）を隠蔽できる。
また、本発明の壁体の構築方法では、複数枚の磁着パネルが取り付けられるが、そのうちの少なくとも１枚が不陸部に対面するように取り付けられていればよい。
【実施例】
【００７４】
以下、本発明の実施例を示す。ただし、本発明は、下記実施例に限定されるものではない。
【００７５】
（実施例１）
化粧板として、厚み９．５ｍｍ、幅４５０ｍｍ、長さ２５０ｍｍの石膏製ボード（吉野石膏（株）製、製品名「タイガーボード」）を用いた。この化粧板の曲げ強度は、９．５６Ｎ／ｍｍ２であり、曲げ破断強度は、３６０Ｎであった。
ただし、上記曲げ強度及び破断強度は、ＪＩＳ  Ａ  １４０８に準じた方法によって測定した。
帯状シート磁石として、厚み０．８ｍｍ、幅２５ｍｍの異方性シート磁石（ニチレイマグネット（株）製、製品名「マグネシート」）を用いた。
【００７６】
上記帯状シート磁石の一側縁が化粧板の一方側部から２０ｍｍとなるように位置決めして、帯状シート磁石を、化粧板の一方側部の近傍において化粧板の長手方向全体に接着剤を用いて貼り付けた。
同様に、上記帯状シート磁石の一側縁が化粧板の他方側部から２０ｍｍとなるように位置決めして、帯状シート磁石を、化粧板の一方側部の近傍において化粧板の長手方向全体に接着剤を用いて貼り付けた。
このようにして図１〜図３に示すような形態の磁着パネルを作製した。
【００７７】
（実施例２）
実施例１で用いた化粧板に代えて、厚み６．０ｍｍ、幅４５０ｍｍ、長さ２５０ｍｍの火山性ガラス質製ボード（大建工業（株）製、製品名「ダイライト  ＭＫ」）を使用したこと以外は、実施例１と同様にして磁着パネルを作製した。この化粧板の曲げ強度は、１１．５Ｎ／ｍｍ２であり、曲げ破断強度は、４００Ｎであった。
【００７８】
（実施例３）
実施例１で用いた化粧板に代えて、厚み３．０ｍｍ、幅４５０ｍｍ、長さ２５０ｍｍの炭酸カルシウム製ボード（大建工業（株）製、製品名「ダイライト  ＭＳ」）を使用したこと以外は、実施例１と同様にして磁着パネルを作製した。この化粧板の曲げ強度は、１９．５Ｎ／ｍｍ２であり、曲げ破断強度は、５００Ｎであった。
【００７９】
（実施例４）
実施例１で用いた化粧板に代えて、厚み３．０ｍｍ、幅４５０ｍｍ、長さ２５０ｍｍのパルプ・けい酸カルシウム混入／セメント板（（株）エーアンドエーマテリアル製、製品名「ハイブリッドセラ」）を使用したこと以外は、実施例１と同様にして磁着パネルを作製した。この化粧板の曲げ強度は、１８．０Ｎ／ｍｍ２であり、曲げ破断強度は、６５０Ｎであった。
【００８０】
（実施例５）
実施例１で用いた化粧板に代えて、厚み３．０ｍｍ、幅４５０ｍｍ、長さ２５０ｍｍのＪＡＳ合板（市販品）を使用したこと以外は、実施例１と同様にして磁着パネルを作製した。のボードに代えて、化粧板として下記のボードを用いたこと以外は、実施例１と同様にして磁着パネルを作製した。この化粧板の曲げ強度は、１５．３Ｎ／ｍｍ２であり、曲げ破断強度は、４５０Ｎであった。
【００８１】
（試験例）
上記実施例１〜５の磁着パネルを、一対の帯状シート磁石を介して、段差（高低差３ｍｍ）を有する金属面に取り付けた。この際、各磁着パネルの幅方向中央部が段差に対面するように取り付けた。
上記取付け後、各磁着パネルの表面に上記段差に起因する筋形状が生じていないかどうかを目視で観察した。その結果、実施例１の磁着パネルは、若干の筋形状が確認されたが、実施例２〜５の磁着パネルは、平面状に見え、筋形状を確認できなかった。
【００８２】
また、各磁着パネルの左右（両側部）の取付状態を確認したところ、実施例１〜５の何れの磁着パネルも、強固に磁着していた。
【図面の簡単な説明】
【００８３】
【図１】本発明の磁着パネルの一実施形態を示す正面図（磁着パネルの表面側から視た図）。
【図２】同背面図（磁着パネルの裏面側から視た図）。
【図３】図１のＩ−Ｉ線断面図。
【図４】幅狭磁着パネルの一実施形態を示す正面図。
【図５】幅広磁着パネルの一実施形態を示す正面図。
【図６】（ａ）は、入隅材の一実施形態を示す一部省略斜視図、（ｂ）は、出隅材の一実施形態を示す一部省略斜視図、（ｃ）は、上方見切り材の一実施形態を示す一部省略斜視図、（ｄ）は、ジョイナーの一実施形態を示す一部省略斜視図。
【図７】壁体を構築する一工程を示し、スチール製家具を配置した状態を示す参考斜視図。
【図８】スチール製家具の施工面に、１枚目の磁着パネルを施工面に取り付けた状態を示す参考斜視図。
【図９】１枚目の磁着パネルの側部を入隅材に嵌入した状態を示す参考上面図。
【図１０】施工面の段差に跨るように磁着パネルを取り付けた状態を示す参考斜視図。
【図１１】段差に跨って取り付けられた磁着パネルの取付け状態を示す参考上面図。
【図１２】他の実施形態の磁着パネル（曲げ強度の大きい磁着パネル）を段差に跨って取り付けた状態を示す参考上面図。
【図１３】スチール製家具の背面及び側面に磁着パネルを取り付けた状態を示す参考上面図。
【図１４】スチール製家具の背面及び側面に磁着パネルを取り付けた状態を示す参考斜視図。
【図１５】（ａ）は、磁着パネルの切断する際の切断線（一点鎖線）を示す正面図、（ｂ）は、前記切断によって得られた短い磁着パネルを示す背面図。
【図１６】施工面に取り付けられた下方の磁着パネルの上方側に、更に、磁着パネルを取り付けた状態を示す参考側面図。
【符号の説明】
【００８４】
１、１’、１”…磁着パネル、２…化粧板、２ａ…化粧板の一方側部、２ｂ…化粧板の他方側部、２ｃ…化粧板の上端部、２ｄ…化粧板の下端部、２１…第１サネ部、２２…第２サネ部、３…帯状シート磁石、３ａ…帯状シート磁石の一側縁、３ｃ…帯状シート磁石の上端縁、３ｄ…帯状シート磁石の下端縁、３１…磁着面、４…ジョイナー、５…入隅材、６…出隅材、７…見切り材、８Ａ，８Ｂ…スチール製家具、８１…スチール製家具の背面（施工面）、８２…段差（不陸部）、１００…支持板
【図１】
2009057740.tif 000003
【図２】
2009057740.tif 000004
【図３】
2009057740.tif 000005
【図４】
2009057740.tif 000006
【図５】
2009057740.tif 000007
【図６】
2009057740.tif 000008
【図７】
2009057740.tif 000009
【図８】
2009057740.tif 000010
【図９】
2009057740.tif 000011
【図１０】
2009057740.tif 000012
【図１１】
2009057740.tif 000013
【図１２】
2009057740.tif 000014
【図１３】
2009057740.tif 000015
【図１４】
2009057740.tif 000016
【図１５】
2009057740.tif 000017
【図１６】
2009057740.tif 000018